(57)【要約】【課題】  コネクタ端子とコネクタプラグを嵌合する際に、コネクタ端子のロックピンとコネクタプラグの特定箇所の位置あわせを行なう必要のないＢＮＣコネクタを提供する。【解決手段】  コネクタ端子と嵌合するコネクタプラグに、コネクタプラグ内面を一周する弾性体を取り付け、その弾性体の弾性変形を利用することによって、コネクタ端子とコネクタプラグを嵌合する。【選択図】図４
2010182654.tif 000002
【特許請求の範囲】
【請求項１】
電気的に接続するＢＮＣコネクタにおいて、
ロックピンが設けられたコネクタ端子と嵌合するコネクタプラグに、該コネクタプラグ内面を一周する弾性体を取り付け、該弾性体の弾性変形によってロックピンをロックすること特徴とするＢＮＣコネクタ。
【請求項２】
前記弾性体にゴムを用いたことを特徴とする、請求項１記載のＢＮＣコネクタ。
【請求項３】
前記ゴムは、嵌合時よりも嵌合解除時に多くの力を必要とする形状を有することを特徴とする、請求項２記載のＢＮＣコネクタ。
【請求項４】
前記弾性体を覆うロックピン押さえ部を用いることを特徴とする請求項１記載のＢＮＣコネクタ。
【請求項５】
前記弾性体にバネを用いたことを特徴とする、請求項４記載のＢＮＣコネクタ。
【発明の詳細な説明】
【技術分野】
【０００１】  本発明は、電気的接続に用いる同軸コネクタのロック機能の構造に関するものである。
【背景技術】
【０００２】  映像機器等を電気的に接続する際に、図１に示すようなＢＮＣ（Ｂａｙｏｎｅｔ  Ｎｅｉｌｌ  Ｃｏｎｃｅｌｍａｎ）コネクタが一般的に利用されている。ＢＮＣコネクタは、装置側に設置されたコネクタ（以下、コネクタ端子）と、ケーブル側のコネクタ（以下、コネクタプラグ）とからなる。【０００３】  コネクタ端子１０１とコネクタプラグ１０２とを嵌合する際は、図１（ｂ）に示すように、コネクタ端子１０１に設けられた一対のピン（以下、ロックピン１０３）を、コネクタプラグ１０２に設けられた溝１０４に通す。図１では、ロックピン１０３は、一個のみ図示してあるが、一対のうちもう一個は裏面に配置されている。【０００４】  ロックピン１０３を溝１０４に通した後、図１（ｃ）に示すように、コネクタプラグ１０２の回転部１０５をロック位置１０６まで回転させることによって、コネクタ端子１０１とコネクタプラグ１０２とが嵌合される。これによって、コネクタ端子１０１内のコンタクト部と、コネクタプラグ１０２内のコンタクト部とが電気的に接続される。【０００５】  以上述べたように、従来の一般的なＢＮＣコネクタにおいては、作業者が、コネクタプラグ１０２の回転部１０５を回転させる動作が必要となっていた。そのため、コネクタの周囲に回転動作を行なうためのスペースが必要となり、コネクタ間のピッチを狭くすることができないという問題があった。【０００６】  この問題に対し、回転動作を行なわずにコネクタ端子とコネクタプラグとを嵌合することができる、プッシュ式のコネクタプラグが提案されている（例えば、特許文献１、及び特許文献２）。【０００７】  特許文献１では、図２に示すように、コネクタプラグ内に設けられているピン保持部２０７と、ラッチ２０８とで、コネクタ端子２０１のロックピン２０３をロックする。ロックを解除する際には、ロック解除用レバー（図２では図示していない）を操作してロックを解除し、コネクタプラグを外す。【０００８】  特許文献１によって、コネクタプラグをコネクタ端子に差し込むだけの動作で、コネクタプラグとコネクタ端子が嵌合される。この際、作業者が必要とするスペースは、コネクタプラグを持つためのスペースと、ロック解除用レバーを操作するスペースのみになる。そのため、コネクタの周囲にあった回転部を回転させる動作を行なうためのスペースが不要になり、コネクタ間のピッチを狭くすることが可能になってくる。【０００９】  特許文献２では、図３に示すように、バネ３０９によって軸方向自在に動作するロックピース３１０に取り付けられていて、２本の弾性係止脚３１４ａ、３１４ｂからなる弾性係止部３１４によって、回転動作のない嵌合を実現している。【００１０】  嵌合時には、弾性係止部３１４に備えられた内向き突起３１１がロックピン３０３に押され、被押さえ突起３１２と押さえ突起３１３の位置がずれることによって、弾性係止脚３１４ａ、３１４ｂが外方に弾性変形し、弾性係止脚３１４ａ、３１４ｂ間にロックピン３０３を受容する。【００１１】  内向き突起３１１がロックピン３０３を越えると、ロックピン３０３からの押し付け力が解除されるため、バネ３０９によってロックピース３１０が前方に押し出され、コネクタ端子３０１とコネクタプラグ３０２とが嵌合される。【００１２】  嵌合を解除する際には、コネクタプラグ３０２を引くと、被押さえ突起３１２と押さえ突起３１３の位置がずれる。これによって、ロックピン３０３が弾性係止脚３１４ａ、３１４ｂを外方に弾性変形させ、内向き突起３１１の間をロックピン３０３が通過する。【００１３】  特許文献２でも特許文献１同様に、コネクタプラグ３０２をコネクタ端子３０１に差し込むだけの動作で、コネクタプラグとコネクタ端子が嵌合される。特許文献２ではロック解除用レバーを操作する必要がないため、作業者が必要とするスペースは、コネクタプラグを持つためのスペースのみになる。そのため、特許文献１と比較して、さらにコネクタ周囲にスペースが不要となり、コネクタ間のピッチを狭くすることが可能になってくる。
【先行技術文献】
【特許文献】
【００１４】
【特許文献１】  特開２００６−３０２６５０
【特許文献２】  特開２０００−１６４２９６
【発明の概要】
【発明が解決しようとする課題】
【００１５】  特許文献１に記載されているコネクタプラグでは、図２に示すように、コネクタ端子２０１のロックピン２０３と、コネクタプラグ内に設けられているピン保持部２０７の位置とを合わせる必要がある。しかし、コネクタの数が多くなり密集すると、他のコネクタプラグによって視界が遮られ、ロックピン２０３とピン保持部２０７との位置あわせに支障がでて、作業性が低下する可能性がある。【００１６】  さらに、ロック解除時においても、ロック解除用のレバーを操作しているため、作業性の低下が発生する可能性がある。【００１７】  図３に示す特許文献２においても、接続時にロックピン３０３と弾性係止部３１４の位置を合わせる必要がある。そのため、特許文献１同様に、コネクタの数が多くなった場合に作業性の低下が発生する可能性がある。【００１８】  本発明は、上記課題を解決することで、コネクタ端子のロックピンの位置と、コネクタプラグの特定箇所との位置を合わせることなく嵌合することができ、コネクタの数が多くなり密集しても、作業性を低下させることなく着脱が行なえるコネクタを提供することを目的とする。
【課題を解決するための手段】
【００１９】  上記目的を達成するための手段は、以下の通りである。【００２０】  本発明の第一の課題解決手段は、電気的に接続するＢＮＣコネクタにおいて、ロックピンが設けられたコネクタ端子と嵌合するコネクタプラグに、該コネクタプラグ内面を一周する弾性体を取り付け、該弾性体の弾性変形によって、ロックピンをロックすることにある。【００２１】  本発明の第二の課題解決手段は、前記第一の課題解決手段において、前記弾性体にゴムを用いることにある。【００２２】  本発明の第三の課題解決手段は、前記第一または第二の課題解決手段において、前記弾性体を覆うロックピン押さえ部を用いることにある。
【発明の効果】
【００２３】  本発明によって、ロックピンとコネクタプラグの特定位置とを合わせることなく、コネクタ端子とコネクタプラグとを嵌合することが可能になる。そのため、コネクタの数が多くなっても、作業性が低下することなく作業を行なうことが可能になる。【００２４】  従来技術と本発明を比較すると、作業の際にコネクタ周囲に必要なスペースは、特許文献２と同じである。しかし、特許文献２では、ロックピン３０３と弾性係止部３１４の位置を合わせて接続作業を行なわなければならない。これに対し、本発明では、ロックピンとコネクタプラグの特定部分の位置を合わせる必要がなくなるため、作業性を挙げることが可能になる。
【図面の簡単な説明】
【００２５】
【図１】一般的なＢＮＣコネクタの概略図である。
【図２】特許文献１に記載された先行技術を示す図である。
【図３】特許文献２に記載された先行技術を示す図である。
【図４】本発明の第一の実施形態を示す断面図である。
【図５】図４におけるＡ−Ａ面の断面図である。
【図６】本発明の第一の実施形態における嵌合時の状態を示す断面図である。
【図７】本発明の第二の実施形態を示す断面図である。
【図８】本発明の第二の実施形態における嵌合時の状態を示す断面図である。
【図９】図８におけるＢ−Ｂ面、Ｃ−Ｃ面の断面図である。
【図１０】本発明の第三の実施形態を示す断面図である。
【図１１】本発明のロックピン押さえ部を示す図である。
【発明を実施するための形態】
【００２６】  本発明は、ロックピンがあるコネクタ端子、及びコネクタ端子に嵌合されるコネクタプラグを含むＢＮＣコネクタに関する発明である。コネクタ端子の内面を一周する弾性体を取り付け、その弾性体によって、ロックピンをロックし、コネクタの離脱を防止する。
【００２７】  図を用いて本発明の第一の実施形態を説明する。図４は、本発明における第一の実施形態のＢＮＣコネクタの断面図、図５は、図４におけるＡ−Ａ面の断面図、図６は、第一の実施形態における嵌合時の状態を示す断面図である。
【００２８】  コネクタ端子４０１とコネクタプラグ４０２が嵌合されることによって、コネクタ端子４０１内のコンタクト部と、コネクタプラグ４０２内のコンタクト部が電気的に接続される。なお、本発明の第一の実施形態では、コネクタプラグ４０２の内面を一周する弾性体にゴム４１５を用いている。
【００２９】  コネクタ端子４０１とコネクタプラグ４０２とを嵌合する際の流れを、図６を用いて説明する。コネクタ端子４０１にコネクタプラグ４０２を押し入れると、コネクタ端子４０１に設けられているロックピン４０３がコネクタプラグ４０２内のゴム４１５と当接する（図６（ａ））。
【００３０】  そのままコネクタプラグ４０２を押し入れると、ロックピン４０３がゴム４１５を弾性変形させる。さらにコネクタプラグ４０２を押し入れると、ロックピン４０３が、弾性変形したゴム４１５を越えて、指定位置で固定される（図６（ｂ））。
【００３１】  これによって、コネクタ端子４０１内のコンタクト部と、コネクタプラグ４０２内のコンタクト部とが、電気的に接続される。
【００３２】  本発明では、コネクタ端子４０１に対し、弾性体であるゴム４１５を用いて全周方向から保持しているため、コネクタ端子４０１内のコンタクト部と、コネクタプラグ４０２内のコンタクト部の中心軸がずれて接触不良になることはない。
【００３３】  図４に示す第一の実施形態では、ゴム４１５の断面形状を円形としているが、この形状に限るものではない。例えば断面形状が多角形のゴムを用いることも可能である。
【００３４】  図７は、第一の実施形態の応用例を示す図である。第一の実施形態の応用例では、断面形状が多角形のゴムを用いている。図７（ａ）では、断面形状が正六角形のゴム４１５ａを用いている。図７（ａ）に示す実施形態によって、断面形状が円形のゴムに比べてコネクタ端子４０１とゴム４１５ａの接触面積が増えるため、より強力にコネクタ端子４０１を保持することが可能になる。
【００３５】  コネクタ図７（ｂ）では、断面形状が平行四辺形のゴム４１５ｂを用いている。断面形状が平行四辺形のゴムを使用することによって、嵌合する際と外す際の抵抗を異なるものにすることができるため、コネクタ端子４０１からコネクタプラグ４０２が外れにくくなることが可能になる。
【００３６】  図８〜図１０は、本発明の第二の実施形態を示す図である。図８は、第二の実施形態のＢＮＣコネクタの断面図、図９は、第二の実施形態における嵌合時のＢＮＣコネクタの状態を示す断面図、図１０は図９におけるＢ−Ｂ面断面図、及びＣ−Ｃ面断面図を示している。
【００３７】第二の実施形態では、弾性体としてバネ８１８を用いている。バネ８１８は、後述するように、斜面を持ち、バネを覆う形状をしているロックピン押さえ部８１９に覆われている。ロックピン押さえ部８１９は、図１０に示すように、コネクタプラグ８０２内面を一周するように複数個配置され、弾性変形するバネ８１８によってコネクタプラグ８０２の中心方向に向かって配置されている。
【００３８】  本実施形態では、ロックピン押さえ部８１９は点対称に八個配置されているが、この個数に限ったものではなく、点対称に複数個配置されていれば、本実施形態は実現可能である。
【００３９】  コネクタ端子８０１と、コネクタプラグ８０２が嵌合する際の状態を、図を用いて説明する。コネクタプラグ８０２をコネクタ端子８０１に押し入れると、ロックピン８０３とロックピン押さえ部８１９の斜面が当接する（図９（ａ））。その際のＢ−Ｂ面断面図を図１０（ａ）に示す。
【００４０】  コネクタプラグ８０２をさらに押し入れると、ロックピン８０３は、ロックピン押さえ部８１９の斜面を利用してバネ８１８を縮める（図９（ｂ））。その際のＣ−Ｃ面断面図を、図１０（ｂ）に示す。
【００４１】  図１０（ｂ）では、ロックピン押さえ部８１９がコネクタプラグ８０２内に収納され、コネクタ端子８０１から突出しているロックピン８０３が通過するスペースを作っている。
【００４２】  そのスペースをロックピン８０３が通過すると、バネ８１８の力によってロックピン押さえ部８１９が元の位置に戻り、コネクタ端子８０１とコネクタプラグ８０２が嵌合される（図９（ｃ））。これにより、コネクタ端子８０１内のコンタクト部と、コネクタプラグ８０２内のコンタクト部が電気的に接続される。
【００４３】  本発明の第二の実施形態で用いたロックピン押さえ部は、図１１に示すように、ロックピンに当たって弾性体を弾性変形させるための斜面１１１９ａと、１１１９ｂを有している。この斜面１１１９ａ、１１１９ｂは、第二の実施形態を説明した図８〜図１０では、図１１（ａ）に示すように、同じ傾斜角度を有していた。この傾斜角度を異なる角度にすることで、第一の実施形態の応用例と同様に、嵌合する際と外す際の抵抗を異なるものにすることが可能になる。
【００４４】  例えば、斜面１１１９ｂの傾斜角度を、斜面１１１９ａの傾斜角度より大きくすることで、外す際の抵抗を嵌合時より大きくし、外れにくい状態にすることが可能になる。
【符号の説明】
【００４５】  ４０１      コネクタ端子
４０２      コネクタプラグ
４０３      ロックピン
４１５      ゴム
８０１      コネクタ端子
８０２      コネクタプラグ
８０３      ロックピン
８１８      バネ
８１９      ロックピン押さえ部
１１１９ａ  斜面
１１１９ｂ  斜面
１１１９    ロックピン押さえ部
【図１】
2010182654.tif 000003
【図２】
2010182654.tif 000004
【図３】
2010182654.tif 000005
【図４】
2010182654.tif 000006
【図５】
2010182654.tif 000007
【図６】
2010182654.tif 000008
【図７】
2010182654.tif 000009
【図８】
2010182654.tif 000010
【図９】
2010182654.tif 000011
【図１０】
2010182654.tif 000012
【図１１】
2010182654.tif 000013